(57)【特許請求の範囲】
【請求項１】
追加／ドロップ光多重化装置であって、
（ａ）光多重化信号を実質的に同一の第１及び第２のセットの複数チャンネルに多重分離するための第１の二重化出力ポート（を持つ）光ルーター（１０４）であって、該第１の二重化ポート光ルーターが複数の出力導波路（１０６１・・・１０６Ｎ、及び１０８１・・・１０８Ｎ）を有し、
個々の出力導波路が該第１の二重化ポート光ルーターのそれぞれ個々の二重化出力ポートに対応し、
該複数の出力導波路が、該第１のセットの複数のチャネルについての第１の複数の出力導波路（１０６１・・・１０６Ｎ）及び該第２のセットの複数のチャネルについての第２の二重化された複数の出力導波路（１０８１・・・１０８Ｎ）として配置され、
該第１の複数の出力導波路（１０６１・・・１０６Ｎ）の各々が該第２の二重化された複数の出力導波路（１０８１・・・１０８Ｎ）における対応する１つの出力導波路と、複数の出力導波路各々の対が実質的に同一のスペクトル特性を有するように、対をなし、
前記二重化された複数の出力導波路（１０８１・・・１０８Ｎ）が少なくとも１つの、光多重化信号内の該複数のチャンネルをドロップするのに使用される、
第１の二重化出力ポート光ルーター（１０４）、及び
（ｂ）第１の複数の入力導波路（１１２１・・・１１２Ｎ）を有する第２の光ルーター（１１０）であって、
個々の入力導波路が該第２の光ルーターのそれぞれ個々の入力ポートに対応し、
前記第１の複数の入力導波路（１１２１・・・１１２Ｎ）の個々の入力導波路が、前記第１の二重化出力ポート光ルーターの複数の該第１の出力導波路（１０６１・・・１０６Ｎ）の対応する個々の出力導波路と結合されており、前記第２の光ルーターは前記第１の複数の入力導波路の受信されたチャンネルを多重化するためのものであり、
前記第２の光ルーターが、チャンネルを追加するための第２の二重化された複数の入力導波路（１１４１・・・１１４Ｎ）を有する二重化入力ポート（を持つ）光ルーターであり、前記第２の二重化された複数の入力導波路の各入力導波路が該第２の光ルーターのそれぞれの二重化入力ポートに対応し、
前記第２の二重化された複数の入力導波路（１１４１・・・１１４Ｎ）が、該第１の複数の入力導波路（１１２１・・・１１２Ｎ）の二重化されたセットであり、
該第１の複数の入力導波路（１１２１・・・１１２Ｎ）の各入力導波路が該第２の二重化された複数の入力導波路（１１４１・・・１１４Ｎ）における対応する１つの入力導波路と、複数の入力導波路各々の対が実質的に同一のスペクトル特性を有するように、対をなし、
前記第１及び第２の複数の入力導波路内のチャンネルを多重化するように構成された
第２の光ルーター（１１０）
を備え、
少なくとも１つの光シャッタ（１２０１・・・１２０Ｎ）が、一対の前記結合された入力及び出力導波路（１０６１・・・１０６Ｎ、及び１１２１・・・１１２Ｎ）の間に挿入され、前記少なくとも１つの光シャッタが制御信号に応答するよう構成され、該光シャッタが該制御信号に対して、前記光シャッタが閉鎖状態にある場合には前記複数のチャンネルのうちの１つのチャンネルが該第２のルーターに到達するのを完全に遮断するとともに、前記光シャッタが開放状態にある場合には前記複数のチャンネルのうちの該１つのチャンネルを該第２のルーターに到達させるように構成された追加／ドロップ光多重化装置。
【請求項２】
前記第２の二重化された複数の入力導波路（１１４１・・・１１４Ｎ）が前記光多重化信号の存在していない１つのチャンネルに対応する前記追加／ドロップ光多重化装置に１つのチャンネルを付加することを特徴とする請求項１記載の追加／ドロップ光多重化装置。
【請求項３】
前記少なくとも１つの光シャッタが、前記第２の光ルーターに１つのチャンネルが到着するのを完全に遮断し、前記第２の二重化された複数の入力導波路（１１４１・・・１１４Ｎ）が、前記第２の光ルーターに到着するのを阻まれた上記チャンネルとほぼ等しい搬送波周波数を有しているが同時にそのチャンネルとは異なった変調を受けている別のチャンネルを追加することを特徴とする請求項１記載の追加／ドロップ光多重化装置。
【請求項４】
上記少なくとも１つの光シャッタ（１２０１・・・１２０Ｎ）が微小電子機械システムに基づく遮光器（ＭＥＭＳ）であることを特徴とする請求項１記載の追加／ドロップ光多重化装置。
【請求項５】
請求項１記載の追加／ドロップ光多重化装置において、前記第１及び第２の光ルーターが導波グレーティングルーターである追加／ドロップ光多重化装置。
【請求項６】
請求項１記載の追加／ドロップ光多重化装置において、前記少なくとも１つの光シャッタが熱−光スイッチとして前記第１及び第２の光ルーターに組み込まれた追加／ドロップ光多重化装置。
【発明の詳細な説明】
【０００１】
【発明の属する技術分野】
本発明は波長分割多重化（ＷＤＭ）追加／ドロップ方式に関する。
【０００２】
【従来の技術】
長距離、大容量波長分割多重化（ＷＤＭ）光通信ネットワークにおいては、そのネットワーク全体での複数の追加／ドロップ・ノードで特定のＷＤＭ波長を除去置換する能力が種々の付加価値通信サービスにとって不可欠である。こうした通信サービスにはローカル・アクセス、双方向マルチメディア、そして波長リースなどがある。特に、この能力は複数波長多重化信号から各追加／ドロップ・ネットワーク・ノードで１つ又は複数の光波長（チャンネルとも言われる）を追加したりドロップすると同時に、１つ又は複数の光波長を新しい光波長と置換することが必要になる。
【０００３】
ＷＤＭ追加／ドロップ・システムは先行技術においても開示されている。従来、こうしたシステムは２つの導波路グレーティング・ルーター（ＷＧＲ）、１ＸＮ導波路デマルチプレクサとＮＸ１受動コンバイナ又はマルチプレクサを組み合わせることで構成されている。加えて、一連の光スイッチがこれら２つのＷＧＲの間の一組のＮ波長相互接続上で作動して、特定の光波長を除去したり、付加したり、あるいは置換したりする（この種のシステムは１９９６年６月１１日にGlanceに対して発行された『光チャンネル・追加／ドロップ・フィルター』と題する米国特許Ｎｏ．５，５２６，１５３に開示されている）。こうしたシステムにおいては、複数波長多重化信号が第１のＷＧＲ（例えば、デマルチプレクサ）で最初にデマルチプレックスされて複数の光波長をつくりだす。その一組のデマルチプレックスされた光波長は光学スイッチに送られて、それら個々の光波長の１つ又は複数のドロップ、追加、又はドロップ・アンド・追加のいずれかが行われる。その後、それら個別の波長は第２のＷＧＲ（例えば、マルチプレクサ）に送られて、新しい複数波長多重化信号をつくりだす。こうした追加／ドロップ・システムで用いられる光マルチプレクサ及びデマルチプレクサは、いずれもDragonnｅに対して、それぞれ１９９１年３月２６日と１９９２年８月４日に発行された『光マルチプレクサ／デマルチプレクサ』と題する米国特許Ｎｏ．５，００２，３５０と『光学スイッチ、マルチプレクサ、及びデマルチプレクサ』と題する米国特許Ｎｏ．５，１３６，６７１にさらに述べられている。
【０００４】
【発明が解決しようとする課題】
こうしたＷＤＭ追加／ドロップ・システムは波長をドロップしたり追加したりする上では有効であるが、一連の高価な光学スイッチを必要とすることから、光通信ネットワークにかなりのコスト増をもたらす。市場での競争の激化と利用者の期待の高まりから、低コストＷＤＭ追加／ドロップ・システムの開発が重要になってきている。
【０００５】
【課題を解決するための手段】
本発明の原理に基づく光波長分割追加／ドロップ・マルチプレクサ（ＷＡＤＭ）方式は１対の導波路グレーティング・ルーター（ＷＧＲ）を含んでおり、そのグレーティング・ルーターにおいては、少なくとも１つの光ルーターが二重化された複数の入力又は出力導波路を含んでいる。各光ルーターに関連付けられたいくつかの導波路は相互に結合されて、少なくとも１つの微小電気システム（ＭＥＭＳ）遮光器などの減衰器スイッチがそれら結合された導波路間に接続されている。
【０００６】
１つの例示用の実施の形態で、このＷＡＤＭ構成は２つの二重ポート導波路グレーティング・ルーター（ＤＷＧＲ）と複数の遮光器を含んでいる。第１のＤＷＧＲは１ｘ２Ｎデマルチプレクサとして構成されており、これは光多重化信号を二重化された複数のチャンネルにデマルチプレックスする。他方のＤＷＧＲは２Ｎｘ１マルチプレクサとして構成されている。各ＤＷＧＲは二重化された複数の入力又は出力導波路を含んでおり、その内部で各二重化された複数の導波路のそれぞれの対が基本的には同じスペクトル・フィルタリング特性を有している。
第２ＤＷＧＲの第１の複数の入力導波路に結合された第１のＤＷＧＲの第１の複数の出力導波路は二重化された複数のチャンネルのひとつを伝播する。遮光器がこれら二組の複数導波路の対応する導波路の間に挿入されており、ＷＡＤＭ構成が採られているそのノードで終端されているチャンネルに対応する入射光波長を遮断したり反射したりするために用いることができる。第１のＤＷＧＲの第２の複数の出力導波路は他方の二重化された複数のチャンネルを伝播し、これらのチャンネルをＷＡＤＭ構成が採られているそのノードでドロップする。最後に、第２のＤＷＧＲ内の第２複数の入力導波路はフル・追加／ドロップ能力を提供するためにチャンネルを付加するためのものである。すべての適切な追加／ドロップが達成されると、第１及び第２の入力導波路内を伝播しているチャンネルが第２のＤＷＧＲによって多重化される。このようにして、通常の追加／ドロップ能力に加えて、ＷＡＤＭ構成はいわゆる『ドロップ・アンド・コンティニュー』機能を有しており、チャンネルは特定のノードでドロップされる場合と１つの光通信ネットワークの別のノードにつながれる場合の両方がある。
【０００７】
先行技術の場合とは対照的に、本発明はＤＷＧＲと独特の構成の故に、光通信ネットワークにおける通常のＷＡＤＭノードのコストを低下させつつ、追加／ドロップと追加・アンド・コンティニューの両方の機能を行うことができる。一般的なＷＡＤＭで用いられる光学スイッチは必要とされず、本発明で用いられる遮光器はずっと安価である。
【０００８】
【発明の実施の形態】
図１は本発明の原理に基づく１つの光多重化信号から複数の光チャンネルを追加／ドロップ／置換するためのＷＡＤＭ構成の例示的実施の形態の構成図である。入力導波路１０２、通常光ファイバーはＷＡＤＭ構成の入力として機能する。この入力は光多重化信号、例えばＮチャンネル波長分割多重化信号を第１の光ルーター１０４に供給する。光ルーター１０４はそれぞれ２組のＮ個の導波路を形成する２Ｎの出力光導波路を有している。第１の組はＮの導波路１０６1−１０６Nを含んでおり、第２の組の導波路は導波路１０８1−１０８Nを含んでいる。以下で各導波路の組を集合的にそれぞれ導波路１０６及び１０８と呼び、この方式は二重化された複数の導波路を有すると表現する。第２の光ルーター１１０は２Ｎの入力光導波路、導波路１１２1−１１２Nと導波路１１４1−１１４Nを有している。ここで各導波路の組を集合的にそれぞれ導波路１１２及び１１４と呼ぶ。以下により詳しく述べるように、導波路１０６と１０８及び導波路１１２と１１４のそれぞれの対は基本的に同じスペクトル特性を有している（例えば、導波路１０６1は導波路１０８1と基本的に同じ波長（例えばλ1）を伝播する）。導波路１０６と１１２は光ルーター１０４をＷＧＲ１１０に相互接続する。図１に示されるように、光ルーター１０４の導波路１０８は特定のネットワーク・ノードでチャンネルをドロップし、光ルーター１１０の導波路１１４はその特定のネットワーク・ノードでチャンネルを付加することができる。最後に、出力導波路１１６はＷＡＤＭ構成の出力として機能する。
【０００９】
入力及び出力光ルーターの導波路１０６と導波路１１２のそれぞれの対の間に、そして光波経路に沿って、以下に集合的に減衰器スイッチ１２０と呼ばれる減衰器スイッチ１２０1−１２０Nが配置されている。好ましい実施の形態では、これら減衰器スイッチは遮光器であり、これについては以下にさらに詳しく説明する。開放されると、減衰器スイッチは光ルーター１０４の出力導波路１０６内にある光信号がそこを通過して、最小限のロスで光ルーター１１０の入力導波路１１２に達する。閉じられると、減衰器スイッチは望ましくは高効率で入射光チャンネルを吸収あるいは反射して、そのチャンネルが光ルーター１１０に到着するのを防ぐ。リード線１１８は発生源（図示せず）からの制御信号を受信して、減衰器スイッチ１２０を開けたり、閉じたりする。当業者であれば分かるように、この制御信号は１）中央オフィス・ネットワーク制御オペレータなどのローカル・コントロール、２）ネットワーク・コントロール・センターなどのリモート・コントロール、３）ダイナミック・ネットワーク再構成ソフトウエアの使用による自動化、又は４）手作業による制御などを含むいずれかの通常の手段で発生することができる。
【００１０】
作動的には、光多重化信号は図１のＷＡＤＭ構成に送られ、そこで、（１）多重化信号のチャンネルがドロップされるか、（２）元の光多重化信号にはない新しいチャンネルを付加されるか、（３）チャンネルが同じ搬送波周波数チャンネルを有しているが、異なった変調信号を含んでいる他のチャンネルと置換されるか、あるいは（４）元のチャンネルが基本的には何の変化も受けずに通過させられるか、のいずれかの処理が行われる。
【００１１】
図２は典型的な光多重化信号（以下のチャンネルλ1、λ2、λ4．．．λnで示され、それらを含む）が各光ルーター及び遮光器の影響を受ける（なお、その光多重化入力信号はＮチャンネル光通信ネットワークのすべてのチャンネルを含む場合と、そうでない場合とがある）。この例示的な実施の形態においては、光多重化信号は先ず最初に光ルーター１０４でデマルチプレックスされる。図２に示されるように、その多重化信号内に存在している各チャンネルは導波路１０６と導波路１０８の対応する対の内部を伝播される。例えば、チャンネルλ1は光多重化入力信号内にあり、導波路１０６と１０８の対応する対、つまり１０６1と１０８1内を伝播する。さらに、チャンネルλ3はその光多重化入力信号には存在していない。従って、チャンネルは入力導波路１０６3と１０８3では伝播されず、図で用いられているダッシュ（−）は特定の導波路でチャンネルが伝播されていないことを示す。導波路１０６と１０８をこのように使用することで、それらのチャンネルのすべてが（導波路１０８を用いて）特定のネットワーク・ノードで同時にドロップされ、また光通信ネットワーク内の別のネットワーク・ノードにも（導波路１０６を用いて）つながることができるので、いわゆるドロップ・アンド・コンティニュー機能が実現される。
【００１２】
リード線１１８によって受信された制御信号に対応し、チャンネルがそのまま通過させられるか、あるいはドロップされるかに従って、各減衰器−スイッチ１２０は２つの状態のうちの１つ、つまり開放状態か閉鎖状態に構成される。例えば、減衰器スイッチ１２０は開放状態（図２で水平線で示される）に構成され、従って、チャンネルλ1 は光ルーター１１０の導波路１１２1に送られる。しかしながら、減衰器スイッチ１２０2は閉鎖状態（図２で垂直線で示される）に構成され、従ってチャンネルλ2は吸収され、それによって光ルーター１１０の導波路１１２2には届かない。最後に、その光多重化入力信号に存在しないチャンネル成分、例えばλ3に対応する導波路はどちらの状態にでも設定することができる。
【００１３】
導波路１１４は、例えば図２に示されるように入力チャンネルに対して用いられ、チャンネルλ２及びλ３は光ルーター１１０の導波路１１４2及び１１４3を用いてＷＡＤＭ構成に入力される（上に述べたように、ダッシュは、例えば、導波路１１４1及び１１４4には何のチャンネルも加えられていないことを示すために用いられている）。その後、導波路１１４及び１１２内部を伝播している光チャンネルは光ルーター１１０内で多重化されて、新しい光多重化信号λ1λ2λ3．．．λNをつくりだす。
【００１４】
図３は光チャンネルを選択的にドロップするための別の例示的実施の形態を示しており、この構成が唯１つの二重化ポート導波路グレーティング・ルーター（ＤＷＧＲ）１０４を含んでいる点を除けば、これは図１で示し、それに関連して上に述べたＷＡＤＭ構成のすべての要素を含んでいる。他の光ルーターは従来の導波路グレーティング・ルーター（ＷＧＲ）（つまり、ポートは二重化されていない）である。ＤＷＧＲ１０４は１ｘ２Ｎデマルチプレクサとして構成されており、光多重化信号を二重化された複数のチャンネルにデマルチプレックスする。ＷＧＲ３１０はＮｘ1マルチプレクサとして構成されている。すべての適切なドロップが行われると、図１の実施の形態の作動に関して述べたのと同様の方法で、入力導波路１１２1から１１２N内を伝播するチャンネルはＷＧＲ３１０によって多重化される。この実施の形態は『ドロップ・アンド・コンティニュー』機能を示しており、チャンネルは特定のノードでドロップされると同時に、光通信ネットワークの別のノードにつながることができる。
【００１５】
図４は光チャンネルを選択的に追加／置換するための別の例示的実施の形態を示しており、これも、図３に示されるように、その構成が唯１つの二重化ポート導波路グレーティング・ルーター（ＤＷＧＲ）１１０を含んでいる点を除けば、図１に示し、それに関連して述べたＷＡＤＭ構成のすべての要素を含んでいる。他の光ルーターは従来の導波路グレーティング・ルーター（ＷＧＲ）４０４（つまり、ポートは二重化されていない）である。ＷＧＲ４０４は１ｘＮデマルチプレクサとして構成されており、これは光多重化信号を二重化されていない複数のチャンネルにデマルチプレックスする。ＤＷＧＲ１１０は２Ｎｘ１マルチプレクサとして構成されている。すべての適切な追加／置換が行われると、図１の実施の形態の作動に関連して述べたように、入力導波路１１２1から１１２Nと１１４1から１１４Nまでの内部を伝播しているチャンネルはＤＷＧＲ１１０によって多重化される。この実施の形態は追加／置換機能を示すものである。
【００１６】
図１−４の光ルーター１０４及び１１０は二重化された入力又は出力ポートを持っていればいずれの公知の光ルーター（一般的に周波数ルーティング装置とも呼ばれる）でも用いることができる。例えば、図５は使用可能な光ルーターの１つのタイプを示している。図５の光ルーターは現在出願されている特許出願に述べられている。図５の光ルーターは二重化ポート導波路グレーティング・ルーター（ＤＷＧＲ）であり、それぞれ図１−４の光ルーター１０４及び光ルーター１１０に対応する１ｘ２Ｎデマルチプレクサあるいは２Ｎｘ１マルチプレクサとして用いることができる。上に示した特許に述べられている特定の光ルーターの使用は、その光ルーターがほぼ同じで非常にフラットなパスバンド・スペクトル応答を有する二重化（入力又は出力）導波路を提供するので、非常に好適である。
【００１７】
要約的に説明すると、図５の光ルーターが１ｘ２Ｎデマルチプレクサとして用いられる場合は、この光ルーターは入力導波路５０２、第１のフリー・スペース領域５０４、光グレーティング５０６、第２のフリー・スペース領域５０８、複数の出力導波路５１０1−５１０N（ここでは集合的に出力導波路５１０と記載）、及び複数の２ｘ２カップラー５１２1−５１２M1（ここでは集合的に２ｘ２カップラー５１２と記載）を含んでおり、それぞれのカップラーは２つの導波路５１４11及び５１４12（ここでは集合的に出力ポート５１４と記載）を有している。各２ｘ２カップラーは２つの隣接出力導波路５１０を結合して、対応する出力ポート５１４で基本的には同じスペクトル応答をつくりだす。各カップラーは、例えば、エバネセント・カップラー、マルチモード干渉カップラー、スター・カップラーなど、そのカップラーが２つの入力ポートと２つの出力ポートを有していればいずれであってもよい。
【００１８】
導波路グレーティング・ルーターは両方向の特性を有しているので、図５の導波路グレーティング・ルーターが２Ｎｘ１マルチプレクサとして用いられる場合、その導波路グレーティング・ルーターは逆方向にも作動されて、２ｘ２カップラー５１２の出力ポートは入力導波路として機能し、入力導波路５０２はその導波路グレーティング・ルーターの出力ポートとして機能することになる。
【００１９】
図５の光ルーターを用いることによって、本発明によるＷＡＤＭ構成は先行技術で教示されているような不必要な要素を追加しなくても完全な追加／ドロップ及びドロップ・アンド・コンティニュー能力を発揮する。例えば、１９９９年１月付けのPhotonics Technology Letters Vol.11, No.1に発表されているC.R.Gilesらによる"Reconfigurable 16-channel WDM DROP Module Using Silicon MEMS Optical Switches"に述べられているように、ドロップ・アンド・コンティニューＷＡＤＭ装置が（ＷＡＤＭのスルー・ロスの増大という代償との引き換えに）外部３ｄＢファイバー・カップラーによって実現された。
【００２０】
さて、図１−４の他の要素に関してであるが、好適に、１つの好ましい実施の形態において、減衰器スイッチ１２０は遮光器、例えば、微小電気装置システム（ＭＥＭＳ）遮光器である。これらの遮光器は熱−光スイッチ（及びフリップ−フロップ結合ＭＥＭＳ遮光器）として光ルーターとも一体化できるであろう。また、遮光器の複数のアレイを個別に搭載して、光ファイバーを介して光ルーターに接続することも可能であろう。この遮光器は入射光を完全に反射するように設計されている。あるいは、望ましい場合は、一部の光が透過され、一部の光が反射されて、補助導波路に対して送られるように適切な方法で抽出されるようにする目的のためだけにその遮光器を移動することも可能である。例えば、この遮光器を別の導波路に導いたり発生源導波路に戻すように反射光の方向を変えるようにすることもできる。さらに、一部の遮光器は光を同じ効果レベルで透過させると同時に反射するようにすることも可能であろう。そして、ＭＥＭＳ装置は個別のチャンネルの望ましい信号レベルを希望通りに等化したり可変させるためのアナログ制御付き可変光減衰器として用いることもできる。
【００２１】
ＭＥＭＳは半導体産業でシリコン集積回路の製造のために用いられるようなタイプのリソグラフィー大量加工技術を利用した技術である。一般的に、この技術はシリコン基板上に複数の層を連続的に堆積、成型することによって多層構造を形成するステップを含んでいる。これらの層は通常シリコン酸化物及びシリコン窒化物の層によって相互に隔離された複数のポリシリコン層を含んでいる。個々の層の成型は一般的にはシリコン装置製造で用いられるタイプの写真リソグラフィー技術によって行われる。この技術は又上側の層を簡単に動かすことができる可撓的要素として使用するためにウエハの中間犠牲層をエッチングするステップを含んでいる場合もある。ＭＥＭＳ技術については、Circuits and Devices, July 1997, pp.11-18に発表されている"MEMS the Word for Optical Beam Manipulation"と題する論文で検討されている。
【００２２】
ＭＥＭＳ装置はMCNC MEMS Technology Application Center, Research Triangle Park, NC 27709に発注してつくらせることが可能である。この技術は１９９６年７月１５日にMCNC MEMS Technology Application Center, Research Triangle Park, NC 27709が発行した"Multiuser MEMS Processes (MUMPS) Introduction and Design Rules" Rev.4にKeosterらによって述べられている。
【００２３】
二重化ポート光ルーターと独特の構成を用いているので、ＷＡＤＭ構成はドロップ・アンド・コンティニュー機能と通常の追加／ドロップ機能の両方を先行技術におけるような一定の制限なしで提供することができる。加えて、本発明によるＷＡＤＭ構成は光通信ネットワークでかなりのコストを占めている従来のＷＡＤＭ構成で用いられている要素、つまり光学スイッチ使用の必要性をなくすことができる。
【図面の簡単な説明】
【図１】本発明の原理に基づいた光チャンネルを選択的に追加／ドロップするためのＷＡＤＭ構成の例示的実施の形態の構成図。
【図２】光チャンネルを追加／ドロップしたり置換する図１の実施の形態の１つの具体的構成の構成図。
【図３】光チャンネルを選択的にドロップするための本発明による具体的構成例の構成図。
【図４】光チャンネルを選択的に追加／置換するための本発明による具体的構成例の構成図。
【図５】図１で用いられる例示的ＷＧＲの系統図。
【図１】
0004388681.tif 000002
【図２】
0004388681.tif 000003
【図３】
0004388681.tif 000004
【図４】
0004388681.tif 000005
【図５】
0004388681.tif 000006